(57)【要約】【課題】湯水混合栓６と並列に出水管路７と出湯管路８に接続され、内部を流れる湯の温度が所定温度以上のときに閉弁して出水管路と出湯管路との連通を遮断する感温バルブ９と、循環ポンプ１０とを備え、循環ポンプの作動により、熱交換器３から出湯管路と戻し管路１１と循環ポンプと給水管路５とを介して熱交換器に戻るように水が循環すると共に、感温バルブの開弁時には、感温バルブを経由しても水が循環するようにした給湯装置において、循環ポンプを作動させると共にバーナ２を燃焼させる即湯運転を過不足なく行うことができるようにする。【解決手段】給水管路５の循環ポンプ１０との接続部より下流側の部分又は出湯管路８の戻し管路１１との接続部より上流側の部分に流量センサ１４を介設し、即湯運転中に流量センサ１４の検出流量が感温バルブ９の閉弁で所定量を下回ったとき、即湯運転を終了する。【選択図】図１
2015230151.tif 000002
【特許請求の範囲】
【請求項１】
バーナ及びバーナの燃焼で加熱される給湯用の熱交換器を有する給湯器と、給水源からの水を熱交換器の水入口に導く給水管路と、給水管路から分岐され、給水源からの水を給湯端末である湯水混合栓の水入口に導く出水管路と、熱交換器の湯出口に接続され、熱交換器で加熱された湯を湯水混合栓の湯入口に導く出湯管路と、湯水混合栓と並列に出水管路と出湯管路とに接続され、内部を流れる湯の温度が所定温度未満のときに開弁して出水管路と出湯管路とを連通し、内部を流れる湯の温度が所定温度以上のときに閉弁して出水管路と出湯管路との連通を遮断する感温バルブと、給水管路の出水管路の分岐部より下流側部分に並列に接続される循環ポンプと、感温バルブよりも上流側の出湯管路の部分から循環ポンプの入水口に湯を導く戻し管路とを備え、循環ポンプの作動により、熱交換器の湯出口から出湯管路と戻し管路と循環ポンプと給水管路とを介して熱交換器の水入口に戻る第１の循環路に水が循環すると共に、感温バルブの開弁時には、熱交換器の湯出口から出湯管路と感温バルブと出水管路と循環ポンプと給水管路とを介して熱交換器の水入口に戻る第２の循環路にも水が循環するようにした給湯装置において、
給水管路の循環ポンプとの接続部より下流側の部分又は出湯管路の戻し管路との接続部より上流側の部分に介設された流量センサと、制御手段とを備え、
制御手段は、循環ポンプを作動させると共にバーナを燃焼させる即湯運転中に、流量センサの検出流量が感温バルブの閉弁で所定量を下回ったとき、即湯運転を終了する制御を行うように構成されることを特徴とする給湯装置。
【発明の詳細な説明】
【技術分野】
【０００１】
本発明は、即湯機能を持つ給湯装置に関する。
【背景技術】
【０００２】
従来、即湯機能を持つ給湯装置は、バーナ及びバーナの燃焼で加熱される給湯用の熱交換器を有する給湯器と、給水源からの水を熱交換器の水入口に導く給水管路と、熱交換器の湯出口に接続され、熱交換器で加熱された湯を給湯端末に導く出湯管路と、給湯端末の近傍の出湯管路の部分から給水管路に湯を導くバイパス管路と、バイパス管路に介設した循環ポンプとを備え、循環ポンプの作動により、熱交換器の湯出口から出湯管路とバイパス管路と給水管路とを介して熱交換器の水入口に戻る循環路に水が循環するようにしている（例えば、特許文献１参照）。そして、循環ポンプを作動させると共にバーナを作動させる即湯運転を実行することにより、水を熱交換器で加熱しつつ循環路に循環させ、出湯要求があったときに給湯端末に応答性よく適温の湯を供給できるようにしている。また、このものでは、即湯運転中に、バーナの燃焼が所定の一定時間継続したときや、出湯温度が所定温度以上になったときに、即湯運転を終了するようにしている。
【０００３】
ところで、給湯端末として湯水混合栓を用いる場合は、湯水混合栓の湯入口に出湯管路を接続し、湯水混合栓の水入口に給水管路から分岐された出水管路を接続する。この場合、給湯器から離れた場所に位置する湯水混合栓までのびる出水管路に加えて、湯水混合栓の近傍の出湯管路の部分と給水管路とを結ぶようにバイパス管路を配管したのでは、配管コストが高くなってしまう。
【０００４】
そこで、従来、湯水混合栓の近傍で湯水混合栓と並列に出水管路と出湯管路とに接続される感温バルブと、給水管路の出水管路の分岐部より下流側部分に並列に接続される循環ポンプと、感温バルブよりも上流側の出湯管路の部分から循環ポンプの入水口に湯を導く戻し管路とを設けたものも考えられている。感温バルブは、内部を流れる湯の温度が所定温度未満のときに開弁して出水管路と出湯管路とを連通し、内部を流れる湯の温度が所定温度以上のときに閉弁して出水管路と出湯管路との連通を遮断するものである。そして、循環ポンプの作動により、熱交換器の湯出口から出湯管路と戻し管路と循環ポンプと給水管路とを介して熱交換器の水入口に戻る第１の循環路に水が循環すると共に、感温バルブの開弁時には、熱交換器の湯出口から出湯管路と感温バルブと出水管路と循環ポンプと給水管路とを介して熱交換器の水入口に戻る第２の循環路にも水が循環するようにしている。これによれば、循環ポンプを作動させると共にバーナを燃焼させる即湯運転時、水を熱交換器で加熱しつつ第２の循環路に循環させて、湯水混合栓の近傍まで加熱された湯を供給しておくことができる。そのため、上記バイパス管路を配管せずに済み、配管コストを削減できる。
【０００５】
然し、このものにおいて、即湯運転中に、バーナの燃焼が所定の一定時間継続したときや、出湯温度が所定温度以上になったときに、即湯運転を終了したのでは、以下の不具合を生ずる。即ち、給湯器から湯水混合栓までの配管長さは現場毎に異なるため、燃焼が一定時間継続したときに即湯運転を終了したのでは、配管長さが長いと、即湯運転終了時に循環水の温度が十分に上昇せず、逆に配管長さが短いと、即湯運転終了時に循環水の温度が過度に高くなってしまい、即湯運転の過不足を生ずる。また、出湯温度は、給湯器に設けられた出湯管路内の湯温を検出する出湯温センサで検出されるため、給湯器から遠く離れた湯水混合栓の近傍の水温が十分に上昇する前に、出湯温センサの検出温度が所定温度以上になって即湯運転が終了してしまい、即湯運転の不足を生ずる。
【先行技術文献】
【特許文献】
【０００６】
【特許文献１】特開２０１１−２４７４８７号公報
【発明の概要】
【発明が解決しようとする課題】
【０００７】
本発明は、以上の点に鑑み、感温バルブを用いる給湯装置であって、即湯運転を過不足なく行うことができるようにしたものを提供することをその課題としている。
【課題を解決するための手段】
【０００８】
上記課題を解決するために、本発明は、バーナ及びバーナの燃焼で加熱される給湯用の熱交換器を有する給湯器と、給水源からの水を熱交換器の水入口に導く給水管路と、給水管路から分岐され、給水源からの水を給湯端末である湯水混合栓の水入口に導く出水管路と、熱交換器の湯出口に接続され、熱交換器で加熱された湯を湯水混合栓の湯入口に導く出湯管路と、湯水混合栓と並列に出水管路と出湯管路とに接続され、内部を流れる湯の温度が所定温度未満のときに開弁して出水管路と出湯管路とを連通し、内部を流れる湯の温度が所定温度以上のときに閉弁して出水管路と出湯管路との連通を遮断する感温バルブと、給水管路の出水管路の分岐部より下流側部分に並列に接続される循環ポンプと、感温バルブよりも上流側の出湯管路の部分から循環ポンプの入水口に湯を導く戻し管路とを備え、循環ポンプの作動により、熱交換器の湯出口から出湯管路と戻し管路と循環ポンプと給水管路とを介して熱交換器の水入口に戻る第１の循環路に水が循環すると共に、感温バルブの開弁時には、熱交換器の湯出口から出湯管路と感温バルブと出水管路と循環ポンプと給水管路とを介して熱交換器の水入口に戻る第２の循環路にも水が循環するようにした給湯装置において、給水管路の循環ポンプとの接続部より下流側の部分又は出湯管路の戻し管路との接続部より上流側の部分に介設された流量センサと、制御手段とを備え、制御手段は、循環ポンプを作動させると共にバーナを燃焼させる即湯運転中に、流量センサの検出流量が感温バルブの閉弁で所定量を下回ったとき、即湯運転を終了する制御を行うように構成されることを特徴とする。
【０００９】
ここで、即湯運転中に感温バルブ内の湯温が所定温度以上になると、感温バルブが閉弁して第２の循環路を経由しての水の循環が停止し、流量センサの検出流量が所定量を下回る。従って、本発明によれば、感温バルブの配置位置を湯水混合栓の近傍としておくことにより、即湯運転中に感温バルブ内の湯温、即ち、湯水混合栓の近傍の出湯管路の部分に供給される湯温が所定温度以上なったとき、即湯運転が終了することになる。そのため、即湯運転を過不足なく行うことができる。
【図面の簡単な説明】
【００１０】
【図１】本発明の実施形態の給湯装置の構成を示す説明図。
【図２】実施形態の給湯装置で行う即湯制御の内容を示すフロー図。
【発明を実施するための形態】
【００１１】
図１を参照して、１は、本発明の実施形態の給湯装置の主たる構成要素である給湯器を示している。この給湯器１は、燃焼筐１ａ内に収納したバーナ２と、バーナ２の燃焼で加熱される給湯用の熱交換器３とを備えている。
【００１２】
給湯装置は、更に、市水道等の給水源４に逆止弁５ａを介して接続され、給水源４からの水を熱交換器３の水入口３ａに導く給水管路５と、給水管路５から分岐され、給水源４からの水を給湯端末である湯水混合栓６の水入口６ａに導く出水管路７と、熱交換器３の湯出口３ｂに接続され、熱交換器３で加熱された湯を湯水混合栓６の湯入口６ｂに導く出湯管路８と、湯水混合栓６の近傍位置で湯水混合栓６と並列に出水管路７と出湯管路８とに接続される感温バルブ９と、給水管路５の出水管路７の分岐部より下流側部分に並列に接続される給湯器１内の循環ポンプ１０と、感温バルブ９よりも上流側の給湯器１内の出湯管路８の部分から循環ポンプ１０の入水口１０ａに湯を導く、逆止弁１１ａを介設した戻し管路１１とを備える。
【００１３】
感温バルブ９は、内部を流れる湯の温度が所定温度（例えば、３５℃）未満のときに開弁して出水管路７と出湯管路８とを連通し、内部を流れる湯の温度が所定温度以上のときに閉弁して出水管路７と出湯管路８との連通を遮断するものである。そして、循環ポンプ１０の作動により、熱交換器３の湯出口３ｂから出湯管路８と戻し管路１１と循環ポンプ１０と給水管路５とを介して熱交換器３の水入口３ａに戻る第１の循環路１２１に水が循環すると共に、感温バルブ９の開弁時には、熱交換器３の湯出口３ｂから出湯管路８と感温バルブ９と出水管路７と循環ポンプ１０と給水管路５とを介して熱交換器３の水入口３ａに戻る第２の循環路１２２にも水が循環するようにしている。
【００１４】
給水管路５には、循環ポンプ１０の入水口１０ａと吐水口１０ｂとの間に並列接続される逆止弁５ｂが介設されている。更に、給水管路５の循環ポンプ１０との接続部よりも下流側には、入水温センサ１３と、流量センサ１４とが設けられている。また、流量センサ１４より下流側の給水管路５の部分と戻し管路１１の接続部よりも上流側の出湯管路８の部分とを接続する熱交換器３と並列の側路１５を設け、側路１５の接続部よりも下流側の出湯管路８の部分に出湯温センサ１６を設けている。
【００１５】
また、給湯器１には、バーナ２と循環ポンプ１０を制御する制御手段たるマイクロコンピュータから成るコントローラ１７が設けられている。コントローラ１７は、湯水混合栓６を開栓して給湯するときに給湯制御を実行する。給湯制御では、図外のリモコンで設定された給湯設定温度と入水温センサ１３の検出温度との偏差と流量センサ１４の検出流量とから演算される給湯負荷に応じてバーナ２の燃焼量をフィードフォワード制御する共に、出湯温度センサ１６の検出温度が給湯設定温度になるようにバーナ２の燃焼量をフィードバック制御する。
【００１６】
コントローラ１７は、更に、リモコンに設けられた即湯スイッチがオンされたときに即湯制御を行う。以下、図２を参照して、即湯制御について説明する。即湯制御では、先ず、ＳＴＥＰ１で循環ポンプ１０を作動させると共にバーナ２を燃焼させる即湯運転を開始する。
【００１７】
次に、ＳＴＥＰ２に進み、流量センサ１４の検出流量が所定の給湯判断量以上になったか否かを判別する。給湯判断量は、循環ポンプ１０の作動で第１と第２の両循環路に水が循環しているときの流量を基準量として、基準量よりも若干高く設定されている。そして、湯水混合栓６の開栓で給湯が開始されて、流量センサ１４の検出流量が給湯判断量以上になると、ＳＴＥＰ３に進んで即湯運転を終了する。その後、ＳＴＥＰ４で流量センサ１４の検出流量が零になったかを判別し、湯水混合栓６の閉栓で給湯が停止されて検出流量が零になったときに、ＳＴＥＰ１に戻って即湯運転を再開する。
【００１８】
ＳＴＥＰ２で流量センサ１４の検出流量が給湯判断量を下回っていると判別されたときは、ＳＴＥＰ５に進み、流量センサ１４の検出流量が所定の閉弁判断量を下回っているか否か判別される。閉弁判断量は、上記基準量よりも若干低く設定されており、感温バルブ９が閉弁して、第２の循環路を介しての水の循環が停止されると、流量センサ１４の検出流量が閉弁判断量を下回る。そして、この場合は、ＳＴＥＰ６に進んで即湯運転を終了する。その後、ＳＴＥＰ７で所定のインターバル時間が経過したか否か判別し、即湯運転を終了してからインターバル時間が経過したとき、ＳＴＥＰ１に戻って即湯運転を再開する。
【００１９】
本実施形態によれば、感温バルブ９内の湯温が所定温度以上になって、感温バルブ９が閉弁すると、即湯運転が終了する。ここで、感温バルブ９は湯水混合栓６の近傍に配置されているから、感温バルブ９内の湯温が所定温度以上になるときは、湯水混合栓６の近傍の出湯管路８の部分に供給される湯温も所定温度以上なり、この時点で即湯運転が終了するため、即湯運転を過不足なく行うことができる。
【００２０】
以上、本発明の実施形態について図面を参照して説明したが、本発明はこれに限定されない。例えば、上記実施形態では、給水管路５の循環ポンプ１０との接続部より下流側の部分に流量センサ１４を介設しているが、出湯管路８の戻し管路１１との接続部より上流側の部分に流量センサを介設してもよい。
【符号の説明】
【００２１】
１…給湯器、２…バーナ、３…熱交換器、３ａ…水入口、３ｂ…湯出口、４…給水源、５…給水管路、６…湯水混合栓、６ａ…水入口、６ｂ…湯入口、７…出水管路、８…出湯管路、９…感温バルブ、１０…循環ポンプ、１０ａ…入水口、１１…戻し管路、１２１…第１の循環路、１２２…第２の循環路、１４…流量センサ、１７…コントローラ（制御手段）。
【図１】
2015230151.tif 000003
【図２】
2015230151.tif 000004